(57)【要約】【課題】  製造コストが上昇する虞れなく、最大荷重の異なるキードームが容易に製造でき、また、十分な耐久性を確保することができるようになされた高荷重キードームシートを提供する。【解決手段】  ベース基板１と、このベース基板１上に形成されたスイッチ端子２と、このスイッチ端子２を覆ってベース基板１上に配置された金属からなる第１のキードーム３とを備える。そして、第１のキードーム３上には、絶縁材料からなる第１の押さえシート４が配置され、この第１の押さえシート４上に第２のキードーム５が配置され、この第２のキードーム５上に第２の押さえシート６が配置されている。【選択図】      図１
2006012497.tif 000002
【特許請求の範囲】
【請求項１】
ベース基板と、
前記ベース基板上に形成されたスイッチ端子と、
前記スイッチ端子を覆って前記ベース基板上に配置された金属からなる第１のキードームと
を備え、
前記第１のキードーム上には、絶縁材料からなる第１の押さえシートが配置され、この第１の押さえシート上に第２のキードームが配置され、この第２のキードーム上に第２の押さえシートが配置されており、
前記第２の押さえシートが押圧されることにより、前記第２のキードーム及び前記第１のキードームが前記ベース基板側に変形し、前記第１のキードームが前記スイッチ端子に接触して、このスイッチ端子を導通状態とする
ことを特徴とする高荷重キードームシート。
【請求項２】
ベース基板と、
前記ベース基板上に形成されたスイッチ端子と、
前記スイッチ端子を覆って前記ベース基板上に配置された金属からなる第１のキードームと
を備え、
前記第１のキードーム上には、第２のキードームが配置され、この第２のキードーム上に押さえシートが配置されており、
前記押さえシートが押圧されることにより、前記第２のキードーム及び前記第１のキードームが前記ベース基板側に変形し、前記第１のキードームが前記スイッチ端子に接触して、このスイッチ端子を導通状態とする
ことを特徴とする高荷重キードームシート。
【請求項３】
第２のキードームは、第１のキードームに対して略々同一の外径を有している
ことを特徴とする請求項１、または、請求項２記載の高荷重キードームシート。
【請求項４】
第２のキードームは、第１のキードームよりも外径が大きい
ことを特徴とする請求項２記載の高荷重キードームシート。
【請求項５】
第１及び第２のキードームは、互いに略々同一の外径を有し、それぞれの外周側部分が円筒状部分となされており、この円筒状部分を互いに重ねている
ことを特徴とする請求項２記載の高荷重キードームシート。
【請求項６】
押さえシートには、キードームの位置合わせを行うための穴部が形成されている
ことを特徴とする請求項１乃至請求項５のいずれか一に記載の高荷重キードームシート。
【請求項７】
前記第２のキードーム上に、第３以降のキードームが配置されている
ことを特徴とする請求項１乃至請求項６のいずれか一に記載の高荷重キードームシート。
【請求項８】
請求項１乃至請求項７のいずれか一に記載の高荷重キードームシートと、
前記高荷重キードームシートのスイッチ端子に接続された制御回路と
を少なくとも備えて構成されている
ことを特徴とする電子機器。
【発明の詳細な説明】
【技術分野】
【０００１】
本発明は、スイッチデバイスにおけるキードームシートに関し、特に、同一のキードームシート内において、特定のキードームだけを周りのキードームと異なるクリック感が得られるようにした高荷重キードームシートに関する。
【０００２】
また、本発明は、このような高荷重キードームシートを備えて構成された電子機器に関する。
【背景技術】
【０００３】
従来、いわゆる携帯電話機やＰＤＡ（Personal Digital Assistance）等の種々の電子機器において、スイッチ端子を操作する構造として、キードームシートが使用されている。このキードームシートは、図４に示すように、ベース基板１０１上に複数個のスイッチ端子１０２が配置され、これらスイッチ端子１０２上に、金属から成形された複数のキードーム１０３が配置されて構成されている。
【０００４】
スイッチ端子１０２は、円形の内接端子と、この内接端子の直径より若干大きい内径を有し内接端子を囲むように配置された環状の外接端子とにより構成されている。これら内接端子及び外接端子は、ベース基板の裏面に延出し、このベース基板が装着される電子機器の回路に電気的に接続される。
【０００５】
キードーム１０３は、ドーム状に形成されており、押圧されることによりクリック感を示すようになされている。このキードーム１０３は、複数個がその外側表面において図示しない支持フィルムの下面に粘着固定されている。支持フィルムは、下面が粘着面となっているシートである。このように支持フィルムによって支持された各キードーム１０３をベース基板１０１の各スイッチ端子１０２上に配置することにより、キードームシートが構成される。このキードームシートにおいて、各キードーム１０３は、ベース基板１０１上におけるスイッチ端子１０２の配置パターンの位置と一致する位置に配置されている。
【０００６】
このように構成されたキードームシートにおいては、各キードーム１０３を上方から押し下げると、キードーム１０３が凹むことによりこのキードーム１０３の内側頂部がスイッチ端子１０２の内接端子と接触し、外接端子と内接端子とが電気的に導通することとなる。これにより、スイッチ端子１０２は、スイッチとしての機能を果たすことができる。
【０００７】
また、このようなキードームシートが、例えば、携帯電話機のプッシュボタン等のスイッチ基板として使用される場合には、このキードームシートは、各キードーム１０３の直上領域を除いて、カバーによって覆われる。また、このカバーと同一平面上における各キードームの直上領域には、数字等が記載されたプッシュキーが配置される。
【特許文献１】特開平９−２３１８５６号公報
【発明の開示】
【発明が解決しようとする課題】
【０００８】
ところで、前述のようなキードームシートにおいては、特定のキードームについて、他のキードームとは異なるクリック感が得られるようにしたい場合がある。例えば、携帯電話機等において、電源の投入や遮断を行うためのキードームは、数字などに対応された他のキードームに比較して、強いクリック感が得られるようにして、このキードームに対する操作について注意を促したい場合などが考えられる。
【０００９】
このように、特定のキードームにおいて他のキードームと異なるクリック感が得られるようにするためには、図４中の(ａ)及び(ｂ)に示すように、キードーム１０３のドーム状部分の曲げ高さ（Ｈ１、Ｈ２）や、円筒状の外周部分（エッジ部、または、バリ部）の高さ（ｈ１、ｈ２）を異ならせることにより、各キードームの最大荷重Ｐ１〔Ｎ〕を異ならせる必要がある。
【００１０】
例えば、図４中の(ａ)に示す低負荷キードームは、最大荷重Ｐ１が１．５Ｎであるのに対し、図４中の(ｂ)に示す高負荷キードームは、最大荷重Ｐ１が３Ｎとなっている。
【００１１】
しかし、このように、最大荷重Ｐ１〔Ｎ〕を異ならせるために形状の異なるキードーム１０３を作成することは煩雑であり、また、製造コストを上昇させてしまうこととなる。
【００１２】
また、ドーム状部分の曲げ高さや、円筒状の外周部分の高さを高くして最大荷重Ｐ１〔Ｎ〕を高くした高負荷キードームは、耐久性が低い傾向があり、十分な耐久性を確保することが困難となる虞れがある。
【００１３】
そこで、本発明は、前述の実情に鑑みて提案されるものであって、製造コストが上昇する虞れなく、最大荷重の異なるキードームが容易に製造でき、また、十分な耐久性を確保することができるようになされた高荷重キードームシートを提供し、また、このようなキードームシートを用いた電子機器を提供することを目的とする。
【課題を解決するための手段】
【００１４】
前述の課題を解決するため、本発明に係る高荷重キードームシートは、以下の構成を有するものである。
【００１５】
〔構成１〕
本発明に係る高荷重キードームシートは、ベース基板と、このベース基板上に形成されたスイッチ端子と、このスイッチ端子を覆ってベース基板上に配置された金属からなる第１のキードームとを備え、第１のキードーム上には、絶縁材料からなる第１の押さえシートが配置され、この第１の押さえシート上に第２のキードームが配置され、この第２のキードーム上に第２の押さえシートが配置されており、第２の押さえシートが押圧されることにより、第２のキードーム及び第１のキードームがベース基板側に変形し、第１のキードームがスイッチ端子に接触して、このスイッチ端子を導通状態とするものである。
【００１６】
〔構成２〕
本発明に係る高荷重キードームシートは、ベース基板と、このベース基板上に形成されたスイッチ端子と、このスイッチ端子を覆ってベース基板上に配置された金属からなる第１のキードームとを備え、第１のキードーム上には、第２のキードームが配置され、この第２のキードーム上に押さえシートが配置されており、押さえシートが押圧されることにより、第２のキードーム及び第１のキードームがベース基板側に変形し、第１のキードームがスイッチ端子に接触して、このスイッチ端子を導通状態とするものである。
【００１７】
〔構成３〕
本発明に係る高荷重キードームシートは、〔構成１〕、または、〔構成２〕を有する高荷重キードームシートにおいて、第２のキードームは、第１のキードームに対して略々同一の外径を有しているものである。
【００１８】
〔構成４〕
本発明に係る高荷重キードームシートは、〔構成２〕を有する高荷重キードームシートにおいて、第２のキードームは、第１のキードームよりも外径が大きいものである。
【００１９】
〔構成５〕
本発明に係る高荷重キードームシートは、〔構成２〕を有する高荷重キードームシートにおいて、第１及び第２のキードームは、互いに略々同一の外径を有し、それぞれの外周側部分が円筒状部分となされており、この円筒状部分を互いに重ねているものである。
【００２０】
〔構成６〕
本発明に係る高荷重キードームシートは、〔構成１〕乃至〔構成５〕のいずれか一を有する高荷重キードームシートにおいて、押さえシートには、キードームの位置合わせを行うための穴部が形成されているものである。
【００２１】
〔構成７〕
本発明に係る高荷重キードームシートは、〔構成１〕乃至〔構成６〕のいずれか一を有する高荷重キードームシートにおいて、第２のキードーム上に、第３以降のキードームが配置されているものである。
【００２２】
これら本発明に係る高負荷キードームシートにおいては、各キードームのドーム状部分の曲げ高さや、円筒状の外周部分の高さを異ならせる必要はなく、同一形状のキードームを用いて、最大荷重を異ならせることができる。したがって、この高負荷キードームシートは、作成が容易であり、製造コストが上昇することもない。さらに、この高負荷キードームシートにおいては、各キードームは、耐久性が低くなることがなく、十分な耐久性を確保することができる。
【００２３】
〔構成８〕
本発明に係る電子機器は、〔構成１〕乃至〔構成７〕のいずれか一を有するの高荷重キードームシートと、この高荷重キードームシートのスイッチ端子に接続された制御回路とを少なくとも備えて構成されているものである。
【００２４】
本発明に係る電子機器を構成する高負荷キードームシートにおいては、各キードームのドーム状部分の曲げ高さや、円筒状の外周部分の高さを異ならせる必要はなく、同一形状のキードームを用いて、最大荷重を異ならせることができる。したがって、この高負荷キードームシートは、作成が容易であり、製造コストが上昇することもない。さらに、この高負荷キードームシートにおいては、各キードームは、耐久性が低くなることがなく、十分な耐久性を確保することができる。
【発明の効果】
【００２５】
本発明に係る高負荷キードームシートにおいては、各キードームのドーム状部分の曲げ高さや、円筒状の外周部分の高さを異ならせる必要がなく、同一形状のキードームを用いて、最大荷重を異ならせることができる。
【００２６】
したがって、この高負荷キードームシートは、作成が容易であり、製造コストが上昇することもない。さらに、この高負荷キードームシートにおいては、各キードームは、耐久性が低くなることがなく、十分な耐久性を確保することができる。
【００２７】
また、本発明に係る電子機器を構成する高負荷キードームシートにおいては、各キードームのドーム状部分の曲げ高さや、円筒状の外周部分の高さを異ならせる必要はなく、同一形状のキードームを用いて、最大荷重を異ならせることができる。
【００２８】
したがって、この電子機器における高負荷キードームシートは、作成が容易であり、製造コストが上昇することもない。さらに、この高負荷キードームシートにおいては、各キードームは、耐久性が低くなることがなく、十分な耐久性を確保することができる。
【００２９】
すなわち、本発明は、製造コストが上昇する虞れなく、最大荷重の異なるキードームが容易に製造でき、また、十分な耐久性を確保することができるようになされた高荷重キードームシートを提供し、また、このようなキードームシートを用いた電子機器を提供することができるものである。
【発明を実施するための最良の形態】
【００３０】
以下、本発明を実施するための最良の形態について図面を参照して説明する。
【００３１】
本発明に係る高荷重キードームシートは、いわゆる携帯電話機やＰＤＡ（Personal Digital Assistance）等の種々の電子機器において、スイッチ端子を操作する構造として、使用されるものである。
【００３２】
〔高荷重キードームシートの第１の実施の形態〕
図１は、本発明に係る高負荷キードームシートの第１の実施形態における構成を示す断面図である。
【００３３】
この高負荷キードームシートは、図１に示すように、ベース基板１上にスイッチ端子２が配置され、このスイッチ端子２上に、金属から成形された第１のキードーム３が配置されて構成されている。
【００３４】
これらスイッチ端子２及び第１のキードーム３は、ベース基板１上において、それぞれ複数が平面的に配列されて配置されている。
【００３５】
スイッチ端子２は、円形の内接端子と、この内接端子の直径より若干大きい内径を有し内接端子を囲むように配置された環状の外接端子とにより構成されている。これら内接端子及び外接端子は、ベース基板１の裏面に延出し、このベース基板１が装着される電子機器の回路に電気的に接続される。
【００３６】
第１のキードーム３は、ドーム状に形成されており、押圧されることによりクリック感を示すようになされている。
【００３７】
そして、第１のキードーム３上には、絶縁材料からなる第１の押さえシート４が配置されている。この第１の押さえシート４は、下面部が粘着面となっており、この下面部において、第１のキードーム３の外側表面を粘着固定する。このように第１の押さえシート４によって支持された各第１のキードーム３は、ベース基板１の各スイッチ端子２上に配置される。すなわち、各第１のキードーム３は、ベース基板１上におけるスイッチ端子２の配置パターンの位置と一致する位置に配置されている。
【００３８】
これら第１の押さえシート４上には、第２のキードーム５が配置されている。また、この第２のキードーム５上には、第２の押さえシート６が配置されている。
【００３９】
このように構成されたキードームシートにおいては、第２の押さえシート６が押圧されることにより、第２のキードーム５及び第１のキードーム３がベース基板１側に変形し、第１のキードーム３がスイッチ端子２に接触して、このスイッチ端子２を導通状態とする。これにより、スイッチ端子２は、スイッチとしての機能を果たすことができる。
【００４０】
この高負荷キードームシートにおいては、第１及び第２のキードーム３，５が重ねられていることにより、各キードーム３，５が同一形状であってこれら各キードーム３，５についての負荷が同荷重であっても、高いクリック感を得ることができる。
【００４１】
例えば、第１及び第２のキードーム３，５のそれぞれの最大荷重Ｐ１が１．５Ｎである場合において、これらキードーム３，５が重ねられることにより、総合の最大荷重Ｐ１は、３Ｎとなる。
【００４２】
すなわち、この実施形態における高負荷キードームシートにおいては、各キードーム３，５のドーム状部分の曲げ高さや、円筒状の外周部分(エッジ部分)の高さを異ならせる必要はなく、同一形状のキードームを用いて、最大荷重を異ならせることができる。したがって、この高負荷キードームシートは、作成が容易であり、製造コストが上昇することもない。さらに、この高負荷キードームシートにおいては、各キードームは、耐久性が低くなることがなく、十分な耐久性を確保することができる。
【００４３】
なお、このようなキードームシートが、例えば、携帯電話機のプッシュボタン等のスイッチ基板として使用される場合には、このキードームシートは、各キードームの直上領域を除いて、カバーによって覆われる。また、このカバーと同一平面上における各キードームの直上領域には、数字等が記載されたプッシュキーが配置される。
【００４４】
図２は、前記高負荷キードームシートにおいて、キードームにクラックが生じた状態を示す断面図である。
【００４５】
また、この高負荷キードームシートにおいては、図２に示すように、第１及び第２のキードーム３，５のいずれかにクラック（ひび割れ）７が生じても、これら各キードーム３，５が重ねられていることにより、クラック７のない残りのキードームのクリック感が維持されることにより、全体のクリック感が損なわれない。
【００４６】
なお、従来のキードームシートにおいては、キードームが１枚しかないため、このキードームにクラックが生ずると、クリック感が１０％以上小さくなることがあった。
【００４７】
なお、この実施形態における高負荷キードームシートにおいては、第２のキードーム５は、第１のキードーム３に対して略々同一の外径を有しているものであることが望ましい。
【００４８】
また、この実施形態における高荷重キードームシートにおいて、各押さえシート４，６には、予め、各キードーム３，５の位置合わせを行うための穴部が形成しておいてもよい。
【００４９】
さらに、この実施形態における高荷重キードームシートにおいては、第２のキードーム５上に、さらに、第３以降のキードーム及び押さえシートを配置してもよい。
【００５０】
〔高荷重キードームシートの第２の実施の形態〕
図３は、本発明に係る高負荷キードームシートの第２の実施形態における構成を示す断面図である。
【００５１】
この高負荷キードームシートは、図３に示すように、ベース基板１上にスイッチ端子２が配置され、このスイッチ端子２上に、金属から成形された第１のキードーム３が配置されて構成されている。
【００５２】
これらスイッチ端子２及び第１のキードーム３は、ベース基板１上において、それぞれ複数が平面的に配列されて配置されている。
【００５３】
第１のキードーム３は、ドーム状に形成されており、押圧されることによりクリック感を示すようになされている。
【００５４】
そして、第１のキードーム３上には、この第１のキードーム３に重ねられるようにして、第２のキードーム５が配置されている。
【００５５】
第２のキードーム５上には、絶縁材料からなる押さえシート４が配置されている。この押さえシート４は、下面部が粘着面となっており、この下面部において、第２のキードーム５の外側表面を粘着固定する。このように押さえシート４によって支持された各第２のキードーム５は、ベース基板１の各スイッチ端子２上に配置される。すなわち、各第２のキードーム５は、ベース基板１上におけるスイッチ端子２の配置パターンの位置と一致する位置に配置されている。
【００５６】
このように構成されたキードームシートにおいては、押さえシート４が押圧されることにより、第２のキードーム５及び第１のキードーム３がベース基板１側に変形し、第１のキードーム３がスイッチ端子２に接触して、このスイッチ端子２を導通状態とする。これにより、スイッチ端子２は、スイッチとしての機能を果たすことができる。
【００５７】
この高負荷キードームシートにおいては、第１及び第２のキードーム３，５が重ねられていることにより、各キードーム３，５が同一形状であってこれら各キードーム３，５についての負荷が同荷重であっても、高いクリック感を得ることができる。
【００５８】
例えば、第１及び第２のキードーム３，５のそれぞれの最大荷重Ｐ１が１．５Ｎである場合において、これらキードーム３，５が重ねられることにより、総合の最大荷重Ｐ１は、約３Ｎとなる。
【００５９】
すなわち、この実施形態における高負荷キードームシートにおいては、各キードーム３，５のドーム状部分の曲げ高さや、円筒状の外周部分(エッジ部分)の高さを異ならせる必要はなく、同一形状のキードームを用いて、最大荷重を異ならせることができる。したがって、この高負荷キードームシートは、作成が容易であり、製造コストが上昇することもない。さらに、この高負荷キードームシートにおいては、各キードームは、耐久性が低くなることがなく、十分な耐久性を確保することができる。
【００６０】
このように、押さえシートを介在させずに、各キードーム３，５を２枚重ねた構成においても、前述したような、各キードーム３，５間に押さえシートを介在させた場合とほぼ同等の特性が得られる。ただし、この場合には、押さえシート厚が含まれないため、各キードーム３，５間に押さえシートを介在させた場合に比較すると、クリック感は５％程度小さい。
【００６１】
なお、この実施形態における高負荷キードームシートにおいては、第２のキードーム５は、第１のキードーム３に対して略々同一の外径を有しているものとしてもよいし、また、第１のキードーム３よりも外径が大きいものとしてもよい。第１及び第２のキードーム３，５が互いに略々同一の外径を有するものとした場合には、それぞれの外周側部分の円筒状部分(エッジ部分、バリ部分)が互いに重なったものとすることができる。
【００６２】
また、この実施形態における高荷重キードームシートにおいて、押さえシート４には、予め、第２のキードーム５の位置合わせを行うための穴部が形成しておいてもよい。
【００６３】
さらに、この実施形態における高荷重キードームシートにおいては、第２のキードーム５上に、さらに、第３以降のキードームを配置してもよい。
【００６４】
〔電子機器の実施の形態〕
本発明に係る電子機器は、前述した高荷重キードームシートと、この高荷重キードームシートのスイッチ端子２に接続された制御回路とを少なくとも備え、携帯電話機やＰＤＡ（Personal Digital Assistance）として構成される。
【００６５】
この電子機器を構成する高負荷キードームシートにおいても、各キードームのドーム状部分の曲げ高さや、円筒状の外周部分の高さを異ならせる必要はなく、同一形状のキードームを用いて、最大荷重を異ならせることができる。したがって、この高負荷キードームシートは、作成が容易であり、製造コストが上昇することもない。さらに、この高負荷キードームシートにおいては、各キードームは、耐久性が低くなることがなく、十分な耐久性を確保することができる。
【図面の簡単な説明】
【００６６】
【図１】本発明に係る高負荷キードームシートの第１の実施形態における構成を示す断面図である。
【図２】前記高負荷キードームシートにおいて、キードームにクラックが生じた状態を示す断面図である。
【図３】本発明に係る高負荷キードームシートの第２の実施形態における構成を示す断面図である。
【図４】従来のキードームシートの構成を示す断面図である。
【符号の説明】
【００６７】
１  ベース基板
２  スイッチ端子
３  第１のキードーム
４  第１の押さえシート
５  第２のキードーム
６  第２の押さえシート
【図１】
2006012497.tif 000003
【図２】
2006012497.tif 000004
【図３】
2006012497.tif 000005
【図４】
2006012497.tif 000006